(57)【特許請求の範囲】
【請求項１】
ＯＬＥＤ表示パネルに入力されて表示されるべき画像のオリジナルのＲＧＢ信号である初期ＲＧＢ信号およびオリジナルの低駆動電圧である初期低駆動電圧を提供するステップ１と、
初期ＲＧＢ信号を色調量と、飽和度量と、輝度成分とによって構成されるＨＳＩカラースペースに変換するステップ２と、
輝度成分に対してヒストグラム統計を行ない、輝度成分のヒストグラムを得るステップ３と、
該輝度成分のヒストグラムを計算して変換パラメータを得るステップ４と、
該色調量と該飽和度量とを維持して変化させることなく、該輝度成分に対して増強処理を行ない、新輝度成分を得るステップ５と、
下記の（式１）
（式１）
ＯＶＳＳ'＝Ｋ×Ｘ×ＯＶＳＳ
によって該変換パラメータと初期低駆動電圧とを用いて計算することで、新たな低駆動電圧を得て、かつ上記（式１）におけるＯＶＳＳ'が新たな低駆動電圧であって、Ｋが定数係数であって、Ｘが変換パラメータであって、ＯＶＳＳが初期の低駆動電圧であるステップ６と、
該色調量と該飽和度量と該新輝度成分をＲＧＢカラースペースに変換して新たなＲ'Ｇ'Ｂ'信号を得て、かつ該新たなＲ'Ｇ'Ｂ'信号と該新たな低駆動電圧とをＯＬＥＤ表示パネル内の画素駆動回路に入力して、ＯＬＥＤ表示パネルにコントラスト比が増強された新たな画像を表示させるステップ７と、を含む
ことを特徴とするＯＬＥＤ表示パネルのコントラスト比向上方法。
【請求項２】
請求項１に記載のＯＬＥＤ表示パネルのコントラスト比向上方法において、
前記ステップ５において、コントラスト比を増強する方法によって、輝度成分に対して処理を行ない、新たな輝度成分を得る具体的な過程が、ステップ５１とステップ５２とをステップ５３とステップ５４とを含み、
ステップ５１において、同一列毎の隣り合う２行の画素の輝度値の差の絶対値Ｑ１と第１輝度値重み係数ｋ１とを計算し、かつ下記の（式２）
（式２）
Ｑ１＝ａｂｓ（Ｉ（ｉ，ｊ）−Ｉ（ｉ＋１，ｊ））
によって同一列毎の隣り合う２行の画素の輝度値の差の絶対値Ｑ１を計算し、
下記の（式３）
（式３）
【数１】
0006593899.tif 000012
によって第１輝度値重み係数ｋ１を計算し、
同一列の隣り合う２行の画素の輝度値の差の絶対値Ｑ１の値を得る範囲が０から２５５であって、かつｎが１より大きい正の整数であって、
下記の（式４）
（式４）
【数２】
0006593899.tif 000013
によって第１輝度値重み係数ｋ１と、同一列の隣り合う２行の画素の輝度値に基づき累積計算を行ない、
上記（式４）におけるｉ、ｊが正の整数であって、それぞれ画素の存在する行数と列数を表わし、かつＩ（ｉ，ｊ）が、第ｉ行第ｊ列の画素の輝度であって、Ｉ（ｉ＋１，ｊ）が、第ｉ＋１行第ｊ列の画素の輝度であって、Ｈ１（ａ）が、輝度値がａの画素の数量であって、Ｃ１（Ｙ）が、輝度値Ｉ（ｉ，ｊ）から輝度値Ｉ（ｉ＋１，ｊ）に至る間のそれぞれの輝度値が対応する画素数の和であって、
ステップ５２において、同一行毎の隣り合う２列の画素の輝度値の差の絶対値Ｑ２と第２輝度値重み係数ｋ２とを計算し、かつ下記の（式５）
（式５）
Ｑ２＝ａｂｓ（Ｉ（ｉ，ｊ）−Ｉ（ｉ，ｊ＋１））
によって、同一行毎の隣り合う２列の画素の輝度値の差の絶対値Ｑ２を計算し、
下記の（式６）
（式６）
【数３】
0006593899.tif 000014
によって第２輝度値重み係数ｋ２を計算し、
同一行の隣り合う２列の画素の輝度値の差の絶対値Ｑ２の値を得る範囲が、０から２５５であって、ｎが１より大きい正の整数であって、かつステップ５１において得られる値と同一であって、
第２輝度値重み係数ｋ２と、同一行毎の隣り合う２列の画素の輝度値に基づいて下記の（式７）の累積計算を行ない、
（式７）
【数４】
0006593899.tif 000015
上記式７におけるｉ、ｊが正の整数であって、それぞれ画素の存在する行数と列数を表わし、Ｉ（ｉ，ｊ）が、第ｉ行第ｊ列の画素の輝度であって、Ｉ（ｉ，ｊ＋１）が、第ｉ行第ｊ＋１列の画素の輝度であって、Ｈ３（ａ）が、輝度値がａの画素の数量であって、Ｃ３（Ｙ）が、輝度値Ｉ（ｉ，ｊ）から輝度値Ｉ（ｉ，Ｊ＋１）に至る間のそれぞれの輝度値が対応する画素数の和であって、
ステップ５３において、下記の（式８）に従ってステップ５１におけるＣ１（Ｙ）にステップ５２におけるＣ３（Ｙ）を加えてＣ（Ｙ）を得て、
（式８）
Ｃ（Ｙ）＝Ｃ１（Ｙ）＋Ｃ３（Ｙ）
ステップ５４において、下記の（式９）によって最大値を正規化し、
（式９）
【数５】
0006593899.tif 000016
さらに、Ｎ（Ｙ）に２５５を乗算して増強輝度表ｏｕｔ（Ｙ）を得るとともに、ルックアップテーブルによって新たな輝度値Ｉ´＝ｏｕｔ（Ｉ（ｉ，ｊ））を得る
ことを特徴とするＯＬＥＤ表示パネルのコントラスト比向上方法。
【請求項３】
請求項１に記載のＯＬＥＤ表示パネルのコントラスト比向上方法において、
前記ステップ４において輝度成分のヒストグラムを計算して変換パラメータを得る具体的な過程が、先ず、輝度成分のヒストグラムから数量が最多の輝度値と、最大数値の輝度値を得て、
さらに、下記の（式１０）
（式１０）
Ｘ＝Ｍａｘ（ｈｉｓｔ（Ｉ））／Ｍａｘ（Ｉ），
によって、数量が最多の輝度値と、最大数値の輝度値とを計算して変換パラメータを得て、
上記（式１０）におけるＸが変換パラメータであって、Ｍａｘ（ｈｉｓｔ（Ｉ））が、数量が最多の輝度値であり、ＭＡＸ（Ｉ）が、最大数値の輝度値である
ことを特徴とするＯＬＥＤ表示パネルのコントラスト比向上方法。
【請求項４】
請求項１に記載のＯＬＥＤ表示パネルのコントラスト比向上方法において、
前記ＯＬＥＤ表示パネルがＡＭＯＬＥＤ表示パネルである
ことを特徴とするＯＬＥＤ表示パネルのコントラスト比向上方法。
【請求項５】
請求項４に記載のＯＬＥＤ表示パネルのコントラスト比向上方法において、
前記ＯＬＥＤ表示パネルの画素駆動回路が、第１薄膜トランジスタと、第２薄膜トランジスタと、コンデンサとを含み、
該第１薄膜トランジスタは、ゲート電極に走査信号が入力し、ソース電極に新たなＲ´Ｇ´Ｂ´信号によって組成するデータ信号が入力し、ドレイン電極に該第２薄膜トランジスタのゲート電極と該コンデンサの一端とが電気的に接続し、
該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、
該コンデンサは一端が該第１薄膜トランジスタのドレイン電極に電気的に接続し、他端が該第２薄膜トランジスタのドレイン電極に電気的に接続する
ことを特徴とするＯＬＥＤ表示パネルのコントラスト比向上方法。
【請求項６】
ＯＬＥＤ表示パネルに入力されて表示されるべき画像のオリジナルのＲＧＢ信号である初期ＲＧＢ信号およびオリジナルの低駆動電圧である初期低駆動電圧を受信し、かつ受信した該初期ＲＧＢ信号を色調量と、飽和度量と、輝度成分とによって構成されるＨＳＩカラースペースに変換する第１変換モジュールと、
該第１変換モジュールと電気的に接続し、輝度成分に対してヒストグラム統計とコントラスト比増強処理を行なって新たな輝度成分と変換パラメータとを得て、かつ下記の（式１１）
（式１１）
ＯＶＳＳ'＝Ｋ×Ｘ×ＯＶＳＳ
によって該変換パラメータと該初期低駆動電圧とを用いて計算して新たな低駆動電圧を得て、かつ上記（式１１）におけるＯＶＳＳ´が新たな低駆動電圧であって、Ｋが定数係数であって、Ｘが変換パラメータであって、ＯＶＳＳが初期の低駆動電圧であるコントラスト比増強モジュールと、
該コントラスト比増強モジュールと、ＯＬＥＤ表示パネルとに電気的に接続し、色調量と、飽和度量と、新たな輝度成分とをＲＧＢカラースペースに変換して新たなＲ'Ｇ'Ｂ'信号を得て該新たなＲ'Ｇ'Ｂ'信号と該新たな低駆動電圧とをＯＬＥＤ表示パネル内の画素駆動回路に入力してＯＬＥＤ表示パネルにコントラスト比が増強された新たな画像を表示させる第２変換モジュールとを含む
ことを特徴とするＯＬＥＤ表示パネルのコントラスト比向上システム。
【請求項７】
請求項６に記載のＯＬＥＤ表示パネルのコントラスト比向上システムにおいて、
前記コントラスト比増強モジュールが、下記の（式１２）
（式１２）
Ｘ＝Ｍａｘ（ｈｉｓｔ（Ｉ））／Ｍａｘ（Ｉ）
によって変換パラメータを得て、かつ上記（式１２）におけるＸが変換パラメータであって、Ｍａｘ（ｈｉｓｔ（Ｉ））が、数量が最多の輝度値であり、ＭＡＸ（Ｉ）が、最大数値の輝度値である
ことを特徴とするＯＬＥＤ表示パネルのコントラスト比向上システム。
【請求項８】
請求項６に記載のＯＬＥＤ表示パネルのコントラスト比向上システムにおいて、
前記ＯＬＥＤ表示パネルがＡＭＯＬＥＤ表示パネルである
ことを特徴とするＯＬＥＤ表示パネルのコントラスト比向上システム。
【請求項９】
請求項８に記載のＯＬＥＤ表示パネルのコントラスト比向上システムにおいて、
前記ＯＬＥＤ表示パネルの画素駆動回路が、第１薄膜トランジスタと、第２薄膜トランジスタと、コンデンサとを含み、
該第１薄膜トランジスタは、ゲート電極に走査信号が入力し、ソース電極に新たなＲ'Ｇ'Ｂ'信号によって組成するデータ信号が入力し、ドレイン電極に該第２薄膜トランジスタのゲート電極と該コンデンサの一端とが電気的に接続し、
該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、
該コンデンサは一端が該第１薄膜トランジスタのドレイン電極に電気的に接続し、他端が該第２薄膜トランジスタのドレイン電極に電気的に接続する
ことを特徴とするＯＬＥＤ表示パネルのコントラスト比向上システム。
【請求項１０】
ＯＬＥＤ表示パネルに入力されて表示されるべき画像のオリジナルのＲＧＢ信号である初期ＲＧＢ信号およびオリジナルの低駆動電圧である初期低駆動電圧を受信し、かつ受信した該初期ＲＧＢ信号を色調量と、飽和度量と、輝度成分とによって構成されるＨＳＩカラースペースに変換する第１変換モジュールと、
該第１変換モジュールと電気的に接続し、輝度成分に対してヒストグラム統計とコントラスト比増強処理を行なって新たな輝度成分と変換パラメータとを得て、かつ下記の（式１３）
（式１３）
ＯＶＳＳ'＝Ｋ×Ｘ×ＯＶＳＳ
によって該変換パラメータと該初期低駆動電圧とを用いて計算して新たな低駆動電圧を得て、かつ前記（式１３）におけるＯＶＳＳ'が新たな低駆動電圧であって、Ｋが定数係数であって、Ｘが変換パラメータであって、ＯＶＳＳが初期の低駆動電圧であるコントラスト比増強モジュールと、
該コントラスト比増強モジュールと、ＯＬＥＤ表示パネルとに電気的に接続し、色調量と、飽和度量と、新たな輝度成分とをＲＧＢカラースペースに変換して新たなＲ'Ｇ'Ｂ'信号を得て該新たなＲ'Ｇ'Ｂ'信号と該新たな低駆動電圧とをＯＬＥＤ表示パネル内の画素駆動回路に入力してＯＬＥＤ表示パネルにコントラスト比が増強された新たな画像を表示させる第２変換モジュールとを含み、
前記コントラスト比増強モジュールが、下記の（式１４）
（式１４）
Ｘ＝Ｍａｘ（ｈｉｓｔ（Ｉ））／Ｍａｘ（Ｉ）
によって変換パラメータを得て、かつ上記（式１４）におけるＸが変換パラメータであって、Ｍａｘ（ｈｉｓｔ（Ｉ））が、数量が最多の輝度値であり、ＭＡＸ（Ｉ）が、最大数値の輝度値であって、
該ＯＬＥＤ表示パネルがＡＭＯＬＥＤ表示パネルであって、
該ＯＬＥＤ表示パネルの画素駆動回路が、第１薄膜トランジスタと、第２薄膜トランジスタと、コンデンサとを含み、
該第１薄膜トランジスタは、ゲート電極に走査信号が入力し、ソース電極に新たなＲ'Ｇ'Ｂ'信号によって組成するデータ信号が入力し、ドレイン電極に該第２薄膜トランジスタのゲート電極と該コンデンサの一端とが電気的に接続し、
該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、
該コンデンサは一端が該第１薄膜トランジスタのドレイン電極に電気的に接続し、他端が該第２薄膜トランジスタのドレイン電極に電気的に接続する
ことを特徴とするＯＬＥＤ表示パネルのコントラスト比向上システム。
【発明の詳細な説明】
【技術分野】
【０００１】
この発明は、液晶表示技術に関し、特にＯＬＥＤ表示パネルのコントラスト比向上方法及びそのシステムに関する。
【背景技術】
【０００２】
有機発光ダイオードディスプレー（Ｏｒｇａｎｉｃ Ｌｉｇｈｔ Ｅｍｉｔｔｉｎｇ Ｄｉｓｐｌａｙ，ＯＬＥＤ）は、自己発光特性を具え、駆動電圧が低く、高い発光効率を有し、反応時間が短く、解像度とコントラス比が高く、１８０°近い視野角を有し、使用温度の範囲が広く、フレキシブル表示と大面積フルカラー表示を実現するなどの多くの長所を有し、業界において発展のための潜在能力を最も持つ表示装置と公認されている。
【０００３】
ＯＬＥＤディスプレーは、駆動方式の違いによってパッシブマトリックスＯＬＥＤ（Ｐａｓｓｉｖｅ  Ｍａｔｒｉｘ  ＯＬＥＤ,ＰＭＯＬＥＤ）と、アクティブマトリックスＯＬＥＤ（Ａｃｔｉｖｅ  Ｍａｔｒｉｘ  ＯＬＥＤ,ＡＭＯＬＥＤ）の二種類に大別される。即ち、直接アドレッシングと、薄膜トランジスタマトリクスアドレッシングとの二種類である。その内ＡＭＯＬＥＤはアレイ方式を呈して配列される画素を具え、アクティブ表示タイプに属し、高い発光効率を具え、通常は高解像度の大サイズ表示装置に用いられる。
【０００４】
ＡＭＯＬＥＤは、電流駆動部品であって、電流が有機発光ダイオードに流れると、有機発光ダイオードが発光する。発光の輝度は発光ダイオードを流れる電流によって決まる。例えば図１に開示するように、常用されるＡＭＯＬＥＤ画素駆動回路は、２つの薄膜トランジスタ（Ｔｈｉｎ Ｆｉｌｍ Ｔｒａｎｓｉｓｔｏｒ，ＴＦＴ）と、１つのコンデンサ（Ｃａｐａｃｉｔｏｒ）を含む。即ち、２Ｔ１Ｃ画素駆動回路である。具体的には、２Ｔ１Ｃ画素駆動回路は、第１薄膜トランジスタＴ１と、第２薄膜トランジスタＴ２と、コンデンサＣとを含み、第１薄膜トランジスタＴ１はスイッチング薄膜トランジスタであって、第２薄膜トランジスタＴ２は駆動薄膜トランジスタである。コンデンサＣはストレージコンデンサである。第１薄膜トランジスタＴ１は、ゲート電極が走査信号ＧＮに電気的に接続し、ソース電極がデータ信号ＳＮに電気的に接続し、ドレイン電極が第２薄膜トランジスタＴ２のゲート電極と、コンデンサＣの一端とに電気的に接続する。第２薄膜トランジスタＴ２は、ドレイン電極が高駆動電圧ＯＶＤＤに電気的に接続し、ソース電極が有機発光ダイオードＤの陽極に電気的に接続する。有機発光ダイオードＤの陰極は駆動電圧ＯＶＳＳに電気的に接続する。コンデンサＣは一端が薄膜トランジスタＴ１のドレイン電極に電気的に接続し、他端が第２薄膜トランジスタＴ２のドレイン電極に接続する。ＡＭＯＬＥＤ表示する場合、走査信号ＧＮが第１薄膜トランジスタＴ１の導通を制御し、データ信号ＳＮが第１薄膜トランジスタＴ１を経由して第２薄膜トランジスタＴ２のゲート電極とコンデンサＣとに進入し、次いで、第１薄膜トランジスタＴ１が停止する。コンデンサＣのストレージ作用によって、第２薄膜トランジスタＴ２は、データ信号電圧を継続して保持し、第２薄膜トランジスタＴ２を導通状態にする。駆動電流Ｉｏｌｅｄは、第２薄膜トランジスタＴ２を経て有機発光ダイオードＤに進入して有機発光ダイオードＤを駆動し発光させる。ここにおいて、有機発光ダイオードＤが発光する場合の輝度は、駆動電流Ｉｏｌｅｄに関係する。またＩｏｌｅｄは有機発光ダイオードＤの陽極と陰極との間の電圧ΔＶｏｌｅｄの影響を受ける。図２に開示するように、ΔＶｏｌｅｄが増大するにつれてＩｏｌｅｄも絶え間なく増大し、ΔＶｏｌｅｄ=Ｖｓ-ＯＶＳＳとなる。その内、Ｖｓは第２薄膜トランジスタＴ２のソース電極電圧であって、ＯＶＳＳは低駆動電圧である。有機発光ダイオードＤの消費電力は、Ｐ =Ｉｏｌｅｄ×ΔＶｏｌｅｄとなる。したがって、図３に開示するように、Ｉｏｌｅｄの増大に伴い有機発光ダイオードＤの輝度Ｌｕｍも徐々に増大する。
【０００５】
ＯＬＥＤ技術の絶え間ない発展に伴い、消費者のＯＬＥＤ表示パネルの表示の品質に対する要求もますます高くなっている。よって、ＯＬＥＤ表示パネルのコントラスト比を高め、ＯＬＥＤ表示パネルの表示品質を高める必要がある。従来の技術では、通常ＲＧＢのスペースモデルにおいて、画像に対して直接コントラスト比の増強処理を行なう。係る処理方法は、容易に色ムラが発生するという欠点を有する。ＨＳＩは色の直視特性に基づいて構築されるカラースペースモデルである。ＨＳＩのカラースペースは人の視覚システムから始まり、カラートーンＨと飽和度Ｓと輝度Ｉとによって色彩を表現し、カラートーンＨと輝度Ｉと飽和度Ｓとの変化をくっきり表現することができる。
【発明の概要】
【発明が解決しようとする課題】
【０００６】
この発明は、ＯＬＥＤ表示パネルのコントラスト比を向上し、ＯＬＥＤ表示パネルの表示品質を高めるとともに、ＯＬＥＤ表示パネルの消費電力を低下させるＯＬＥＤ表示パネルのコントラスト比向上方法を提供すること、を課題とする。
【０００７】
また、この発明は、ＯＬＥＤ表示パネルのコントラスト比を向上し、ＯＬＥＤ表示パネルの表示品質を高め、同時にＯＬＥＤ表示パネルの消費電力を低下させるＯＬＥＤ表示パネルのコントラスト比向上システムを提供すること、を課題とする。
【課題を解決するための手段】
【０００８】
上述する課題を解決するために、この発明のＯＬＥＤ表示パネルのコントラスト比向上方法は、ＯＬＥＤ表示パネルの画面に疑似入力するＲＧＢ信号と初期低駆動電圧を提供するステップ１と、
初期ＲＧＢ信号を色調量と、飽和度量と、輝度成分とによって構成されるＨＳＩカラースペースに変換するステップ２と、
輝度成分に対してヒストグラム統計を行ない、輝度成分のヒストグラムを得るステップ３と、
該輝度成分のヒストグラムを計算して変換パラメータを得るステップ４と、
該色調量と該飽和量とを維持して変化させることなく、該輝度成分に対して増強処理を行ない、新輝度成分を得るステップ５と、
計算式であるOVSS'=K×X×OVSSによって該変換パラメータと初期の低駆動電圧とを計算することで、新たな低駆動電圧を得て、かつ該式におけるＯＶＳＳ´が新たな低駆動電圧であって、Ｋが定数係数であって、Ｘが変換パラメータであって、ＯＶＳＳが初期の低駆動電圧であるステップ６と、
該色調量と該飽和量と該新輝度成分をＲＧＢカラースペースに変換して新たなＲ´Ｇ´Ｂ´信号を得て、かつ該新たなＲ´Ｇ´Ｂ´信号と該新たな低駆動電圧とをＯＬＥＤ表示パネル内の画素駆動回路に入力して、ＯＬＥＤ表示パネルにコントラスト比が増強された新たな画像を表示させるステップ７と、を含む。    
【０００９】
また、具体的には、ステップ５は、コントラスト比を増強する方法によって、輝度成分Ｉに対して処理を行ない、新輝度成分Ｉ´を得る。その具体的な過程は次の通りである。
【００１０】
ステップ５１において、同一列毎の隣り合う２行の画素の輝度値の差の絶対値Ｑ１と第1輝度値重み係数ｋ１とを計算する。
【００１１】
同一列毎の隣り合う２行の画素の輝度値の差の絶対値Ｑ１の計算式は、Q1=abs（I（i，j）−I（i+1，j））  である。
【００１２】
第1輝度値重み係数ｋ１の計算式は、次のとおりである。
【００１３】
【数１】
0006593899.tif 000002
【００１４】
上記式について、同一列の隣り合う２行の画素の輝度値の差の絶対値Ｑ１の値を得る範囲は、０から２５５であって、ｎは１より大きい正の整数である。
【００１５】
第1輝度値重み係数ｋ１と、同一列の隣り合う２行の画素の輝度値に基づき累積計算を行なう。計算式は次のとおりである。
【００１６】
【数２】
0006593899.tif 000003
【００１７】
上記式におけるｉ、ｊは正の整数であって、それぞれ画素の存在する行数と列数を表わす。Ｉ（ｉ，ｊ）は、第ｉ行第ｊ列の画素の輝度である。Ｉ（ｉ+１，ｊ）は、第ｉ+１行第ｊ列の画素の輝度である。Ｈ１（ａ）は、輝度値がａの画素の数量である。Ｃ１（Ｙ）は、輝度値Ｉ（ｉ，ｊ）から輝度値Ｉ（ｉ+１，ｊ）に至る間のそれぞれの輝度値が対応する画素数の和である。
【００１８】
ステップ５２において、同一列毎の隣り合う２行の画素の輝度値の差の絶対値Ｑ２と第２輝度値重み係数ｋ２とを計算する。同一列毎の隣り合う２行の画素の輝度値の差の絶対値Ｑ２の計算式は、次のとおりである。
【００１９】
Q2=abs（I（i，j）−I（i，j+1））
【００２０】
第２輝度値重み係数ｋ２の計算式は、次のとおりである。
【００２１】
【数３】
0006593899.tif 000004
【００２２】
上記式について、同一列の隣り合う２行の画素の輝度値の差の絶対値Ｑ２の値を得る範囲は、０から２５５であって、ｎは１より大きい正の整数であって、かつステップ５１において得られる値と同一である。
【００２３】
第２輝度値重み係数ｋ２と、同一列毎の隣り合う２行の画素の輝度値に基づき累積計算を行なう。計算式は次のとおりである。
【００２４】
【数４】
0006593899.tif 000005
【００２５】
上記式におけるｉ、ｊは正の整数であって、それぞれ画素の存在する行数と列数を表わす。Ｉ（ｉ，ｊ）は、第ｉ行第ｊ列の画素の輝度である。Ｉ（ｉ，ｊ+１）は、第ｉ行第ｊ+１列の画素の輝度である。Ｈ３（ａ）は、輝度値がａの画素の数量である。Ｃ３（Ｙ）は、輝度値Ｉ（ｉ，ｊ）から輝度値Ｉ（ｉ，ｊ+１）に至る間のそれぞれの輝度値が対応する画素数の和である。    
【００２６】
ステップ５３において、ステップ５１におけるＣ１（Ｙ）にステップ５２におけるＣ３（Ｙ）を加えてＣ（Ｙ）を得る。即ち、Ｃ（Ｙ）=Ｃ１（Ｙ）+Ｃ３（Ｙ）となる。
【００２７】
ステップ５４において、最大値を正規化する。計算式は次のとおりである。
【００２８】
【数５】
0006593899.tif 000006
【００２９】
さらに、Ｎ（Ｙ）に２５５を乗算して増強輝度表ｏｕｔ（Ｙ）を得るとともに、ルックアップテーブルによって新たな輝度値Ｉ´=ｏｕｔ（Ｉ（ｉ，ｊ））を得る。
【００３０】
前記ステップ４において輝度成分のヒストグラムを計算して変換パラメータを得る具体的な過程が、先ず、輝度成分のヒストグラムから数量が最多の輝度値と、最大数値の輝度値を得て、
さらに、計算式X= Max（hist（I））/Max（I）によって、数量が最多の輝度値と、最大数値の輝度値とを計算して変換パラメータを得る。該式におけるＸは変換パラメータであって、Ｍａｘ（ｈｉｓｔ（Ｉ））は数量が最多の輝度値であり、ＭＡＸ（Ｉ）は最大数値の輝度値である・
【００３１】
前記ＯＬＥＤ表示パネルはＡＭＯＬＥＤ表示パネルである。
【００３２】
前記ＯＬＥＤ表示パネルの画素駆動回路は、第１薄膜トランジスタと、第２薄膜トランジスタと、コンデンサとを含み、該第１薄膜トランジスタは、ゲート電極に走査信号が入力し、ソース電極に新たなＲ´Ｇ´Ｂ´信号によって組成するデータ信号が入力し、ドレイン電極に該第２薄膜トランジスタのゲート電極と該コンデンサの一端とが電気的に接続し、該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、該コンデンサは一端が該第１薄膜トランジスタのドレイン電極に電気的に接続し、他端が該第２薄膜トランジスタのドレイン電極に電気的に接続する。
【００３３】
この発明の提供するＯＬＥＤ表示パネルのコントラスト比向上システムは、ＯＬＥＤ表示パネルの画面に疑似入力される初期ＲＧＢ信号と初期低駆動電圧を受信し、かつ受信した該初期ＲＧＢ信号を色調量と、飽和量と、輝度成分とによって構成されるＨＳＩカラースペースに変換する該第１変換モジュールと、
該第1変換モジュールと電気的に接続し、輝度成分に対してヒストグラム統計とコントラスト比増強処理を行なって新たな輝度成分と変換パラメータとを得て、かつ計算式OVSS'= K×X×OVSSによって該変換パラメータと該初期低駆動電圧とを計算して新たな低駆動電圧を得て、かつ該計算式におけるＯＶＳＳ´が新たな低駆動電圧であって、Ｋが定数係数であって、Ｘが変換パラメータであって、ＯＶＳＳが初期の低駆動電圧であるコントラスト比増強モジュールと、
該コントラスト比増強モジュールと、ＯＬＥＤ表示パネルとに電気的に接続し、色調量と、飽和量と、新たな輝度成分とをＲＧＢカラースペースに変換して新たなＲ´Ｇ´Ｂ´信号を得て該新たなＲ´Ｇ´Ｂ´信号と該新たな低駆動電圧とをＯＬＥＤ表示パネル内の画素駆動回路に入力してＯＬＥＤ表示パネルにコントラスト比が増強された新たな画像を表示させる第２変換モジュールとを含む。
【００３４】
前記コントラスト比増強モジュールが、計算式であるX= Max（hist（I））Max（I）によって変換パラメータを得て、かつ該計算式におけるＸが変換パラメータであって、Ｍａｘ（ｈｉｓｔ（Ｉ））が、数量が最多の輝度値であり、ＭＡＸ（Ｉ）が、最大数値の輝度値である。
【００３５】
該ＯＬＥＤ表示パネルはＡＭＯＬＥＤ表示パネルである。
【００３６】
該ＯＬＥＤ表示パネルの画素駆動回路が、第１薄膜トランジスタと、第２薄膜トランジスタと、コンデンサとを含み、該第１薄膜トランジスタは、ゲート電極に走査信号が入力し、ソース電極に新たなＲ´Ｇ´Ｂ´信号によって組成するデータ信号が入力し、ドレイン電極に該第２薄膜トランジスタのゲート電極と該コンデンサの一端とが電気的に接続し、該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、該コンデンサは一端が該第１薄膜トランジスタのドレイン電極に電気的に接続し、他端が該第２薄膜トランジスタのドレイン電極に電気的に接続する。
【００３７】
この発明の提供するＯＬＥＤ表示パネルのコントラスト比向上システムは、ＯＬＥＤ表示パネルの画面に疑似入力される初期ＲＧＢ信号と初期低駆動電圧を受信し、かつ受信した該初期ＲＧＢ信号を色調量と、飽和量と、輝度成分とによって構成されるＨＳＩカラースペースに変換する該第１変換モジュールと、
該第1変換モジュールと電気的に接続し、輝度成分に対してヒストグラム統計とコントラスト比増強処理を行なって新たな輝度成分と変換パラメータとを得て、かつ計算式OVSS'= K×X×OVSSによって該変換パラメータと該初期低駆動電圧とを計算して新たな低駆動電圧を得て、かつ該計算式におけるＯＶＳＳ´が新たな低駆動電圧であって、Ｋが定数係数であって、Ｘが変換パラメータであって、ＯＶＳＳが初期の低駆動電圧であるコントラスト比増強モジュールと、
該コントラスト比増強モジュールと、ＯＬＥＤ表示パネルとに電気的に接続し、色調量と、飽和量と、新たな輝度成分とをＲＧＢカラースペースに変換して新たなＲ´Ｇ´Ｂ´信号を得て該新たなＲ´Ｇ´Ｂ´信号と該新たな低駆動電圧とをＯＬＥＤ表示パネル内の画素駆動回路に入力してＯＬＥＤ表示パネルにコントラスト比が増強された新たな画像を表示させる第２変換モジュールとを含む。
【００３８】
前記コントラスト比増強モジュールが、計算式であるX= Max（hist（I））Max（I）によって変換パラメータを得て、かつ該計算式におけるＸが変換パラメータであって、Ｍａｘ（ｈｉｓｔ（Ｉ））が、数量が最多の輝度値であり、ＭＡＸ（Ｉ）が、最大数値の輝度値である。
【００３９】
該ＯＬＥＤ表示パネルはＡＭＯＬＥＤ表示パネルである。
【００４０】
該ＯＬＥＤ表示パネルの画素駆動回路が、第１薄膜トランジスタと、第２薄膜トランジスタと、コンデンサとを含み、該第１薄膜トランジスタは、ゲート電極に走査信号が入力し、ソース電極に新たなＲ´Ｇ´Ｂ´信号によって組成するデータ信号が入力し、ドレイン電極に該第２薄膜トランジスタのゲート電極と該コンデンサの一端とが電気的に接続し、該第２薄膜トランジスタは、ドレイン電極が高駆動電圧に電気的に接続し、ソース電極が有機発光ダイオードの陽極に電気的に接続し、かつ該有機発光ダイオードの陰極には新たな低駆動電圧が入力し、該コンデンサは一端が該第１薄膜トランジスタのドレイン電極に電気的に接続し、他端が該第２薄膜トランジスタのドレイン電極に電気的に接続する。
【発明の効果】
【００４１】
この発明によるＯＬＥＤ表示パネルのコントラスト比向上方法は、初期のＲＧＢ信号を色調量と飽和度量と輝度成分とによって構成されるＨＳＩカラースペースに変換し、さらに輝度成分に対してヒストグラム統計を行なって輝度成分のヒストグラムを得て、かつ該輝度成分のヒストグラムに基づいて変換パラメータを得て、該変換パラメータによって初期の低駆動電圧を結合して計算し、新たな低駆動電圧を得て、同時に色調量と飽和量を変えることなくこれらを維持し、輝度成分に対して増強処理を行なって新たな輝度成分を得て、さらに色調量Ｈと、飽和量Ｓと、新たな輝度成分Ｉ´とをＲＧＢカラースペースに変換して新たなＲ´Ｇ´Ｂ´信号を得て、該Ｒ´Ｇ´Ｂ´信号と新たな低駆動電圧とを画素駆動回路に提供することで、ＯＬＥＤ表示パネルのコントラスト比が向上し、ＯＬＥＤ表示パネルの表示品質が高まるとともに、ＯＬＥＤ表示パネルの消費電力が低下する。この発明によるＯＬＥＤ表示パネルのコントラスト比向上方法は、ＯＬＥＤ表示パネルのコントラスト比を向上させ、ＯＬＥＤ表示パネルの表示品質を高めるとともに、ＯＬＥＤ表示パネルの消費電力を低下させることができる。
【図面の簡単な説明】
【００４２】
【図１】従来のＡＭＯＬＥＤ２Ｔ１Ｃ画素駆動回路の回路図である。
【図２】有機発光ダイオードの両端の電圧と駆動電圧との関係を示した折線グラフである。
【図３】駆動電流と有機発光ダイオードの輝度との関係を示した折線グラフである。
【図４】この発明によるＯＬＥＤ表示パネルのコントラスト向上方法を示したフローチャートである。
【図５】この発明によるＯＬＥＤ表示パネルのコントラスト向上方法における信号の変換を示した説明図である。
【図６】初期ＲＧＢ信号と初期低駆動電圧によってＯＥＬＤ表示パネルに疑似入力した画面を示した説明図である。
【図７】この発明によるＯＬＥＤ表示パネルのコントラスト向上方法におけるステップ３の輝度成分のヒストグラムである。
【図８】この発明によるＯＬＥＤ表示パネルのコントラスト向上方法におけるステップ５によってコントラスト比を増強して得た新たな輝度成分のヒストグラムである。
【図９】この発明によるＯＬＥＤ表示パネルのコントラスト向上方法によって入力したＯＥＬＤ表示パネルの画面を示した説明図である。
【図１０】この発明のＯＥＬＤ表示パネルに疑似システムの構造を示したブロック図である。
【図１１】この発明のＯＥＬＤ表示パネルに疑似システムの２Ｔ１Ｃ画素駆動回路の回路図である。
【発明を実施するための形態】
【００４３】
この発明に採用された技術手段とその効果を明らかにするために、この発明の優先的な実施例について、図面を参照して以下に詳述する。
【００４４】
図４、図５に開示するように、この発明は、先ずＯＬＥＤ表示パネルのこのトラスト比の向上方法を提供する。該方法は以下のステップを含む。
【００４５】
ステップ１において、ＯＬＥＤ表示パネルの画面に疑似入力するＲＧＢ信号と初期低駆動電圧ＯＶＳＳを提供する。
【００４６】
図６に開示するように、初期ＲＧＢ信号と初期低駆動電圧ＯＶＳＳ下で疑似入力するＯＬＥＤ表示パネルの画面のコントラスト比は比較的低く、ＯＬＥＤ表示パネルの表示品質に影響を与える。
【００４７】
ステップ２において、初期ＲＧＢ信号を色調量Ｈと、飽和度量Ｓと、輝度成分Ｉとによって構成されるＨＳＩカラースペースに変換する。
【００４８】
ステップ３において、図７に開示するように、輝度成分Ｉに対してヒストグラム統計を行ない、輝度成分Ｉのヒストグラムを得る。輝度成分Ｉはヒストグラムの表示において比較的集中し、分布が不均一である。
【００４９】
ステップ４において、図７に開示する輝度成分のヒストグラムを計算して変換パラメータを得る。
【００５０】
具体的に述べる。ステップ４においては輝度成分Ｉのヒストグラムを計算して変換パラメータを得る具体的な過程は次に開示するとおりである。
【００５１】
先ず、輝度成分Ｉのヒストグラムから数量が最多の輝度値と、最大数値の輝度値を得る。
【００５２】
さらに数量が最多の輝度値と、最大数値の輝度値とを計算して変換パラメータを得る。計算式は、次に掲げる式１のとおりである。
【００５３】
（式１）
X= Max（hist（I））/Max（I）
【００５４】
前記式１におけるＸは変換パラメータであって、Ｍａｘ（ｈｉｓｔ（Ｉ））は数量が最多の輝度値であり、ＭＡＸ（Ｉ）は、最大数値の輝度値である。
【００５５】
ステップ５において、色調量Ｈと飽和量Ｓを維持して変化させることなく、輝度成分Ｉに対して増強処理を行ない新輝度成分Ｉ´を得る。
【００５６】
具体的には、ステップ５は、コントラスト比を増強する方法によって、輝度成分Ｉに対して処理を行ない、新輝度成分Ｉ´を得る。その具体的な過程は次の通りである。
【００５７】
ステップ５１において、同一列毎の隣り合う２行の画素の輝度値の差の絶対値Ｑ１と第1輝度値重み係数ｋ１とを計算する。
【００５８】
同一列毎の隣り合う２行の画素の輝度値の差の絶対値Ｑ１の計算式は、次に掲げる式２のとおりである。
【００５９】
（式２）
Q1=abs（I（i，j）−I（i+1，j））
【００６０】
第1輝度値重み係数ｋ１の計算式は、次に掲げる式３のとおりである。
【００６１】
（式３）
【数６】
0006593899.tif 000007
【００６２】
前記式について、同一列の隣り合う２行の画素の輝度値の差の絶対値Ｑ１の値を得る範囲は、０から２５５であって、ｎは１より大きい正の整数である。
【００６３】
第1輝度値重み係数ｋ１と、同一列の隣り合う２行の画素の輝度値に基づき累積計算を行なう。計算式は次に掲げる式４のとおりである。
【００６４】
（式４）
【数７】
0006593899.tif 000008
【００６５】
式４におけるｉ、ｊは正の整数であって、それぞれ画素の存在する行数と列数を表わす。Ｉ（ｉ，ｊ）は、第ｉ行第ｊ列の画素の輝度である。Ｉ（ｉ+１，ｊ）は、第ｉ+１行第ｊ列の画素の輝度である。Ｈ１（ａ）は、輝度値がａの画素の数量である。Ｃ１（Ｙ）は、輝度値Ｉ（ｉ，ｊ）から輝度値Ｉ（ｉ+１，ｊ）に至る間のそれぞれの輝度値が対応する画素数の和である。
【００６６】
ステップ５２において、同一列毎の隣り合う２行の画素の輝度値の差の絶対値Ｑ２と第２輝度値重み係数ｋ２とを計算する。同一列毎の隣り合う２行の画素の輝度値の差の絶対値Ｑ２の計算式は、次に掲げる式５のとおりである。
【００６７】
（式５）
Q2=abs（I（i，j）−I（i，j+1））
【００６８】
第２輝度値重み係数ｋ２の計算式は、次に掲げる式６のとおりである。
【００６９】
（式６）
【数８】
0006593899.tif 000009
【００７０】
前記式について、同一列の隣り合う２行の画素の輝度値の差の絶対値Ｑ２の値を得る範囲は、０から２５５であって、ｎは１より大きい正の整数であって、かつステップ５１において得られる値と同一である。
【００７１】
第２輝度値重み係数ｋ２と、同一列毎の隣り合う２行の画素の輝度値に基づき累積計算を行なう。計算式は次に掲げる式７のとおりである。
【００７２】
（式７）
【数９】
0006593899.tif 000010
【００７３】
式７におけるｉ、ｊは正の整数であって、それぞれ画素の存在する行数と列数を表わす。Ｉ（ｉ，ｊ）は、第ｉ行第ｊ列の画素の輝度である。Ｉ（ｉ，ｊ+１）は、第ｉ行第ｊ+１列の画素の輝度である。Ｈ３（ａ）は、輝度値がａの画素の数量である。Ｃ３（Ｙ）は、輝度値Ｉ（ｉ，ｊ）から輝度値Ｉ（ｉ，ｊ+１）に至る間のそれぞれの輝度値が対応する画素数の和である。
【００７４】
ステップ５３において、ステップ５１におけるＣ１（Ｙ）にステップ５２におけるＣ３（Ｙ）を加えてＣ（Ｙ）を得る。即ち、Ｃ（Ｙ）=Ｃ１（Ｙ）+Ｃ３（Ｙ）となる。
【００７５】
ステップ５４において、最大値を正規化する。計算式は次に掲げる式８のとおりである。
【００７６】
（式８）
【数１０】
0006593899.tif 000011
【００７７】
さらに、Ｎ（Ｙ）に２５５を乗算して増強輝度表ｏｕｔ（Ｙ）を得るとともに、ルックアップテーブルによって新たな輝度値Ｉ´=ｏｕｔ（Ｉ（ｉ，ｊ））を得る。
【００７８】
ステップ５において行なうコントラスト比増強処理を経て得られる新たな輝度成分Ｉ´のヒストグラムは図８に開示するとおりであって、処理を行なった新たな輝度成分Ｉ´は、ヒストグラムにおいてさらに均一に分布している。
【００７９】
ステップ６において、変換パラメータＸと初期の低駆動電圧ＯＶＳＳとを計算することで、新たな低駆動電圧ＯＶＳＳ´を得る。その計算式は次に掲げる式９のとおりである。
【００８０】
（式９）
OVSS'= K×X×OVSS
【００８１】
式９におけるＯＶＳＳ´は新たな低駆動電圧であって、Ｋは定数係数であって、Ｘは変換パラメータであって、ＯＶＳＳは初期の低駆動電圧である。
【００８２】
ステップ７において、色調量Ｈと飽和量Ｓと新たな輝度成分Ｉ´をＲＧＢカラースペースに変換して新たなＲ´Ｇ´Ｂ´信号を得て、新たなＲ´Ｇ´Ｂ´信号と新たな低駆動電圧ＯＶＳＳ´をＯＬＥＤ表示パネル内の画素駆動回路に入力する。ＯＬＥＤ表示パネルは、図９に開示するようにコントラスト比が増強された新たな画像を表示し、ＯＬＥＤ表示パネルの表示品質が高められる。
【００８３】
また、前記ＯＬＥＤ表示パネルは、選択的にＡＭＯＬＥＤ表示パネルであってもよい。例えば図１１に開示するように、ＯＬＥＤ表示パネル内の画素駆動回路は、２Ｔ１Ｃ画素駆動回路を選択してもよい。該画素駆動回路は、第１薄膜トランジスタＴ１と、第２薄膜トランジスタＴ２と、コンデンサＣとを含む。第１薄膜トランジスタＴ１は、ゲート電極に走査信号ＧＮが入力し、ソース電極には新たなＲ´Ｇ´Ｂ´信号によって組成するデータ信号ＳＮが入力し、ドレイン電極に第２薄膜トランジスタＴ２のゲート電極とコンデンサＣの一端とが電気的に接続する。第２薄膜トランジスタＴ２は、ドレイン電極が高駆動電圧ＯＶＤＤに電気的に接続し、ソース電極が有機発光ダイオードＤの陽極に電気的に接続し、有機発光ダイオードＤの陰極には新たな低駆動電圧ＯＶＳＳ´が入力する。コンデンサＣは、一端が第１薄膜トランジスタＴ１のドレイン電極に電気的に接続し、他端が第２薄膜トランジスタＴ２のドレイン電極に電気的に接続する。
【００８４】
特筆すべきは、有機発光ダイオードＤの陽極に新たな低駆動電圧ＯＶＳＳ´を入力することによって、有機発光ダイオードＤの陽極と陰極との電圧差ΔＶｏｌｅｄを低下させることができるという点である。ここからＯＬＥＤ表示パネルの消費電力を低下させることができる。
【００８５】
図１０、１１について、図５を参照にして述べると、この発明は同一の発明思想に基づき、ＯＬＥＤ表示パネルのコントラスト比向上システムをさらに提供する。該システムは、第１変換モジュールと、第２変換モジュールと、コントラスト比増強モジュールとを含む。
【００８６】
該第１変換モジュールは、ＯＬＥＤ表示パネルの画面に疑似入力される初期ＲＧＢ信号と初期低駆動電圧ＯＶＳＳを受信し、かつ初期ＲＧＢ信号を色調量Ｈと、飽和量Ｓと、輝度成分Ｉとによって構成されるＨＳＩカラースペースに変換するために用いる。
【００８７】
該コントラスト比増強モジュールは、該第1変換モジュールと電気的に接続し、輝度成分Ｉに対してヒストグラム統計とコントラスト比増強処理を行なうために用い、係る処理によって新たな輝度成分Ｉ´と変換パラメータＸとを得て、かつ変換パラメータＸと初期低駆動電圧ＯＶＳＳとを計算して新たな低駆動電圧ＯＶＳＳ´を得る。計算式は、次に掲げる式１０のとおりである。
【００８８】
（式１０）
OVSS'= K×X×OVSS
【００８９】
式１０におけるＯＶＳＳ´は新たな低駆動電圧であって、Ｋは定数係数であって、Ｘは変換パラメータであって、ＯＶＳＳは初期の低駆動電圧である。
【００９０】
具体的に述べると、前記コントラスト比増強モジュールは、輝度成分Ｉに対してヒストグラム統計を行ない、輝度成分Ｉのヒストグラムを得る。さらに、輝度成分Ｉの該ヒストグラムから数量が最多の輝度値と、最大数値の輝度値を得る。さらに数量が最多の輝度値と、最大数値の輝度値とを計算して変換パラメータを得る。計算式は、次に掲げる式１１のとおりである。
【００９１】
（式１１）
X= Max（hist（I））/Max（I）
【００９２】
前記式１１におけるＸは変換パラメータであって、Ｍａｘ（ｈｉｓｔ（Ｉ））は数量が最多の輝度値であり、ＭＡＸ（Ｉ）は、最大数値の輝度値である。
【００９３】
第２変換モジュールは、該コントラスト比増強モジュールと、ＯＬＥＤ表示パネルとに電気的に接続し、色調量Ｈと、飽和量Ｓと、新たな輝度成分Ｉ´とをＲＧＢカラースペースに変換して新たなＲ´Ｇ´Ｂ´信号を得るために用いる。新たなＲ´Ｇ´Ｂ´信号と新たな低駆動電圧ＯＶＳＳ´とをＯＬＥＤ表示パネル内の画素駆動回路に入力し、ＯＬＥＤ表示パネルはコントラスト比が増強された新たな画像を表示する。
【００９４】
また、前記ＯＬＥＤ表示パネルは、選択的にＡＭＯＬＥＤ表示パネルであってもよい。例えば図１１に開示するように、ＯＬＥＤ表示パネル内の画素駆動回路は、２Ｔ１Ｃ画素駆動回路を選択してもよい。該画素駆動回路は、第１薄膜トランジスタＴ１と、第２薄膜トランジスタＴ２と、コンデンサＣとを含む。第１薄膜トランジスタＴ１は、ゲート電極に走査信号ＧＮが入力し、ソース電極には新たなＲ´Ｇ´Ｂ´信号によって組成するデータ信号ＳＮが入力し、ドレイン電極に第２薄膜トランジスタＴ２のゲート電極とコンデンサＣの一端とが電気的に接続する。第２薄膜トランジスタＴ２は、ドレイン電極が高駆動電圧ＯＶＤＤに電気的に接続し、ソース電極が有機発光ダイオードＤの陽極に電気的に接続し、有機発光ダイオードＤの陰極には新たな低駆動電圧ＯＶＳＳ´が入力する。コンデンサＣは、一端が第１薄膜トランジスタＴ１のドレイン電極に電気的に接続し、他端が第２薄膜トランジスタＴ２のドレイン電極に電気的に接続する。
【００９５】
この発明のＯＬＥＤ表示パネルのコントラスト比向上システムは、
該第１変換モジュールが初期ＲＧＢ信号を色調量Ｈと、飽和量Ｓと、輝度成分Ｉとによって構成されるＨＳＩカラースペースに変換し、該コントラスト比増強モジュールによって輝度成分Ｉに対しヒストグラム統計とコントラスト比増強処理を行ない新たな輝度成分Ｉ´と変換パラメータＸとを得て、かつ変換パラメータＸと初期低駆動電圧ＯＶＳＳとを計算して新たな低駆動電圧ＯＶＳＳ´を得る。さらに、第２変換モジュールによって色調量Ｈと、飽和量Ｓと、新たな輝度成分Ｉ´とをＲＧＢカラースペースに変換して新たなＲ´Ｇ´Ｂ´信号を得て、新たなＲ´Ｇ´Ｂ´信号と新たな低駆動電圧ＯＶＳＳ´とをＯＬＥＤ表示パネル内の画素駆動回路に入力することで、ＯＬＥＤ表示パネルはコントラスト比が増強された新たな画像を表示する。別途、有機発光ダイオードＤの陽極に新たな低駆動電圧ＯＶＳＳ´を入力することによって、有機発光ダイオードＤの陽極と陰極との電圧差ΔＶｏｌｅｄを低下させることができ、ここからＯＬＥＤ表示パネルの消費電力を低下させることができる。
【００９６】
以上をまとめると、この発明によるＯＬＥＤ表示パネルのコントラスト比向上方法は、初期のＲＧＢ信号を色調量と飽和度量と輝度成分とによって構成されるＨＳＩカラースペースに変換し、さらに輝度成分に対してヒストグラム統計を行なって輝度成分のヒストグラムを得て、かつ該輝度成分のヒストグラムに基づいて変換パラメータを得て、該変換パラメータによって初期の低駆動電圧を結合して計算し、新たな低駆動電圧を得て、同時に色調量と飽和量を変えることなくこれらを維持し、輝度成分に対して増強処理を行なって新たな輝度成分を得て、さらに色調量と、飽和量と、新たな輝度成分とをＲＧＢカラースペースに変換して新たなＲ´Ｇ´Ｂ´信号を得て、該Ｒ´Ｇ´Ｂ´信号と新たな低駆動電圧とを画素駆動回路に提供することで、ＯＬＥＤ表示パネルのコントラスト比が向上し、ＯＬＥＤ表示パネルの表示品質が高まるとともに、ＯＬＥＤ表示パネルの消費電力が低下する。この発明によるＯＬＥＤ表示パネルのコントラスト比向上方法は、ＯＬＥＤ表示パネルのコントラスト比を向上させ、ＯＬＥＤ表示パネルの表示品質を高めるとともに、ＯＬＥＤ表示パネルの消費電力を低下させることができる。
【００９７】
以上はこの発明の好ましい実施の形態を述べたものであって、当業者がこの発明の技術プランと技術思想に基づき相応の各種変更、変形などを行なうことは可能である。但し、これら変更、変形などは、いずれもこの発明の特許請求の範囲に含まれるものとする。
【図１】
0006593899.tif 000017
【図２】
0006593899.tif 000018
【図３】
0006593899.tif 000019
【図４】
0006593899.tif 000020
【図５】
0006593899.tif 000021
【図６】
0006593899.tif 000022
【図７】
0006593899.tif 000023
【図８】
0006593899.tif 000024
【図９】
0006593899.tif 000025
【図１０】
0006593899.tif 000026
【図１１】
0006593899.tif 000027